(57)【要約】【課題】主要部への通電オフ中の不要な電力消費を低減することを目的とする。【解決手段】外部機器と通信可能な通信装置であって、通信装置の主要部への通電オフ中において、外部機器と通信可能な第１の通信手段と、主要部への通電中において、外部機器と通信可能な第２の通信手段と、主要部への通電がオフにされた場合に、第１の通信手段と外部機器を接続するよう制御する通信制御手段とを有し、通信制御手段は、主要部への通電オフ中において第１の通信手段と外部機器とが接続された後、第１の通信手段による外部機器との接続から第２の通信手段による外部機器との接続への切り換え処理が行われない状態で所定時間が経過した場合に、第１の通信手段と外部機器の接続を切断するよう制御する。【選択図】図４
2018110341.tif 000002
【特許請求の範囲】
【請求項１】
外部機器と通信可能な通信装置であって、
前記通信装置の主要部への通電オフ中において、外部機器と通信可能な第１の通信手段と、
前記主要部への通電中において、外部機器と通信可能な第２の通信手段と、
前記主要部への通電がオフにされた場合に、前記第１の通信手段と外部機器を接続するよう制御する通信制御手段と
を有し、
前記通信制御手段は、前記主要部への通電オフ中において前記第１の通信手段と前記外部機器とが接続された後、前記第１の通信手段による外部機器との接続から前記第２の通信手段による外部機器との接続への切り換え処理が行われない状態で所定時間が経過した場合に、前記第１の通信手段と前記外部機器の接続を切断するよう制御することを特徴とする通信装置。
【請求項２】
前記通信制御手段は、前記切り換え処理が行われない状態で前記所定時間が経過した場合に、前記外部機器に切断を行うか否かの問い合せ情報を送信し、前記外部機器から切断指示を受け付けた場合に、前記第１の通信手段と前記外部機器の接続を切断するよう制御することを特徴とする請求項１に記載の通信装置。
【請求項３】
前記通信制御手段は、前記切り換え処理が行われない状態で前記所定時間が経過した場合に、前記第１の通信手段と前記外部機器の接続を切断し、さらに前記第１の通信手段への通電をオフするよう制御することを特徴とする請求項１又は２に記載の通信装置。
【請求項４】
外部機器と通信可能な通信装置であって、
前記通信装置の主要部への通電オフ中において、外部機器と通信可能な第１の通信手段と、
前記主要部への通電中において、外部機器と通信可能な第２の通信手段と、
前記主要部への通電がオフにされた場合に、前記第１の通信手段と外部機器を接続するよう制御する通信制御手段と
を有し、
前記通信制御手段は、前記主要部への通電オフ中において前記第１の通信手段と前記外部機器とが接続された後、前記第１の通信手段による外部機器との接続から前記第２の通信手段による外部機器との接続への切り換え処理が行われない状態で、前記第１の通信手段と前記外部機器との切断と接続の繰り返し回数が所定回数以上となった場合に、前記第１の通信手段と前記外部機器の接続を切断するよう制御することを特徴とする通信装置。
【請求項５】
前記通信制御手段は、前記繰り返し回数が前記所定回数以上となり、前記第１の通信手段と前記外部機器とが接続された場合に、前記外部機器に切断を行うか否かの問い合せ情報を送信し、前記外部機器から切断指示を受け付けた場合に、前記第１の通信手段と前記外部機器の接続を切断するよう制御することを特徴とする請求項４に記載の通信装置。
【請求項６】
前記主要部への通電がオフされた場合に、前記繰り返し回数のカウントを開始し、前記主要部への通電が開始された場合に、前記繰り返し回数のカウントをリセットするカウント手段をさらに有することを特徴とする請求項４又は５に記載の通信装置。
【請求項７】
前記通信制御手段は、前記切り換え処理が行われない状態で前記繰り返し回数が前記所定回数以上となった場合に、前記第１の通信手段と前記外部機器の接続を切断し、さらに前記第１の通信手段への通電をオフするよう制御することを特徴とする請求項４乃至６の何れか１項に記載の通信装置。
【請求項８】
外部機器と通信可能な通信装置であって、
前記通信装置の主要部への通電オフ中において、外部機器と通信可能な第１の通信手段と、
前記主要部への通電中において、外部機器と通信可能な第２の通信手段と、
前記主要部への通電がオフにされた場合に、前記第１の通信手段と外部機器を接続するよう制御する通信制御手段と、
記憶手段にデータを記録する記録手段と
を有し、
前記第２の通信手段は、前記記憶手段に記録されたデータを前記外部機器に送信し、
前記通信制御手段は、前記主要部への通電オフ中において前記第１の通信手段と前記外部機器とが接続された場合において、前記第２の通信手段が前記記憶手段に記録されたデータを前記外部機器に送信した時点から、前記記憶手段においてデータの更新がなかった場合には、前記第１の通信手段と前記外部機器の接続を切断するよう制御することを特徴とする通信装置。
【請求項９】
前記通信制御手段は、前記データの更新がなかった場合に、前記外部機器に切断を行うか否かの問い合わせ情報を送信し、前記外部機器から切断指示を受け付けた場合に、前記第１の通信手段と前記外部機器の接続を切断するよう制御することを特徴とする請求項８に記載の通信装置。
【請求項１０】
前記通信制御手段は、前記データの更新がなかった場合に、前記第１の通信手段と前記外部機器の接続を切断し、さらに前記第１の通信手段への通電をオフするよう制御することを特徴とする請求項８又は９に記載の通信装置。
【請求項１１】
主要部への通電オフ中において、外部機器と通信可能な第１の通信手段と、前記主要部への通電中において、外部機器と通信可能な第２の通信手段とを有する通信装置の制御方法であって、
前記主要部への通電がオフにされた場合に、前記第１の通信手段と外部機器を接続するよう制御する第１のステップと、
前記主要部への通電オフ中において前記第１の通信手段と前記外部機器とが接続された後、前記第１の通信手段による外部機器との接続から前記第２の通信手段による外部機器との接続への切り換え処理が行われない状態で所定時間が経過した場合に、前記第１の通信手段と前記外部機器の接続を切断するよう制御する第２のステップと
を含むことを特徴とする通信装置の制御方法。
【請求項１２】
主要部への通電オフ中において、外部機器と通信可能な第１の通信手段と、前記主要部への通電中において、外部機器と通信可能な第２の通信手段とを有する通信装置の制御方法であって、
前記主要部への通電がオフにされた場合に、前記第１の通信手段と外部機器を接続するよう制御するステップと、
前記主要部への通電オフ中において前記第１の通信手段と前記外部機器とが接続された後、前記第１の通信手段による外部機器との接続から前記第２の通信手段による外部機器との接続への切り換え処理が行われない状態で、前記第１の通信手段と前記外部機器との切断と接続の繰り返し回数が所定回数以上となった場合に、前記第１の通信手段と前記外部機器の接続を切断するよう制御するステップと
を含むことを特徴とする通信装置の制御方法。
【請求項１３】
主要部への通電オフ中において、外部機器と通信可能な第１の通信手段と、前記主要部への通電中において、外部機器と通信可能な第２の通信手段とを有する通信装置の制御方法であって、
前記主要部への通電がオフにされた場合に、前記第１の通信手段と外部機器を接続するよう制御するステップと、
記憶手段にデータを記録するステップと、
前記記憶手段に記録されたデータを前記外部機器に送信するステップと、
前記主要部への通電オフ中において前記第１の通信手段と前記外部機器とが接続された場合において、前記第２の通信手段が前記記憶手段に記録されたデータを前記外部機器に送信した時点から、前記記憶手段においてデータの更新がなかった場合には、前記第１の通信手段と前記外部機器の接続を切断するよう制御するステップと
を含むことを特徴とする通信装置の制御方法。
【請求項１４】
コンピュータに、請求項１１乃至１３の何れか１項に記載の制御方法の各ステップを実行させるためのプログラム。
【発明の詳細な説明】
【技術分野】
【０００１】
本発明は、通信装置、通信装置の制御方法及びプログラムに関する。
【背景技術】
【０００２】
従来、外部装置とのデータ交換を行うために、複数の通信手段を切り替えながら通信を行う撮像装置が存在する。特許文献１には、主電源がオフの状態で、Ｂｌｕｅｔｏｏｔｈ（登録商標）通信により外部装置との接続を確立したら主電源をオンし、ＷｉＦi（登録商標）通信によって外部装置に画像ファイルを転送する撮像装置が開示されている。これにより、撮像装置の主電源がオフの状態からでも、外部装置は高速に画像ファイルを取り込むことができる。
【先行技術文献】
【特許文献】
【０００３】
【特許文献１】特開２０１４−４９０９０号公報
【発明の概要】
【発明が解決しようとする課題】
【０００４】
しかしながら、上述の従来技術では、撮像装置の主電源がオフの状態において、Ｂｌｕｅｔｏｏｔｈ通信用に無駄な電力が消費されるという問題があった。
【０００５】
本発明はこのような問題点に鑑みなされたもので、主要部への通電オフ中の不要な電力消費を低減することを目的とする。
【課題を解決するための手段】
【０００６】
そこで、本発明は、外部機器と通信可能な通信装置であって、前記通信装置の主要部への通電オフ中において、外部機器と通信可能な第１の通信手段と、前記主要部への通電中において、外部機器と通信可能な第２の通信手段と、前記主要部への通電がオフにされた場合に、前記第１の通信手段と外部機器を接続するよう制御する通信制御手段とを有し、前記通信制御手段は、前記主要部への通電オフ中において前記第１の通信手段と前記外部機器とが接続された後、前記第１の通信手段による外部機器との接続から前記第２の通信手段による外部機器との接続への切り換え処理が行われない状態で所定時間が経過した場合に、前記第１の通信手段と前記外部機器の接続を切断するよう制御することを特徴とする。
【発明の効果】
【０００７】
本発明によれば、主要部への通電オフ中の不要な電力消費を低減することができる。
【図面の簡単な説明】
【０００８】
【図１】撮像装置を示す図である。
【図２】通信事前設定処理を示すフローチャートである。
【図３】ペアリング設定処理を示すシーケンス図である。
【図４】通信制御処理を示すシーケンス図である。
【図５】第２の実施形態に係る通信制御処理を示すシーケンス図である。
【図６】第３の実施形態に係る通信制御処理を示すシーケンス図である。
【図７】第４の実施形態に係る通信制御処理を示すフローチャートである。
【発明を実施するための形態】
【０００９】
以下、本発明の実施形態について図面に基づいて説明する。
【００１０】
（第１の実施形態）
図１は、第１の実施形態に係る撮像装置１００を示す図である。撮像装置１００は、外部機器と通信可能な通信装置の一例である。撮像装置１００は、被写体の光学像を撮像装置１００内の各部へと導くレンズと、該レンズを取り外し可能に設けられたカメラ本体とからなる。他の例としては、撮像装置は、レンズとカメラ本体とが一体構造となっていてもよい。レンズ１０１は、フォーカスレンズやズームレンズなどを含む複数のレンズからなるレンズ群であり、入射した被写体の光学像を撮像素子１０４へと導く。レンズ制御部１０６は、レンズ１０１の駆動を制御する。レンズ制御部１０６がレンズ１０１の駆動を制御することでズーム、フォーカス、絞りの制御が実現される。また、レンズ１０１は、レンズマウント１０２を介してレンズとカメラ本体とがそれぞれ取り外し可能に設けられている。撮像素子１０４は、ＣＭＯＳ撮像素子等で構成される。撮像素子１０４は、撮像レンズ１０１、シャッタ１０３からなる撮像光学系で形成された被写体像を光電変換し、画像信号を出力することができる。
【００１１】
映像信号処理部１０５は、撮像素子１０４が出力する画像データに対し、各種処理を施し、処理後の画像データをメモリ１３２に出力する。画像データに対する処理としては、デジタル画像データのホワイトバランス、色補間、色補正、γ変換、エッジ強調、解像度変換、ノイズ低減処理や、画像の明るさ、コントラスト等の解析等が挙げられる。タイミング発生部１０７は、撮像素子１０４及び映像信号処理部１０５にタイミングを提供する。
【００１２】
メモリ１３２は、映像信号処理部１０５の出力画像データの他、ＣＰＵ１３１が各種処理を行なう際にデータを一時的に記憶する。不揮発性メモリ１３３は、ＣＰＵ１３１が実行するプログラムデータを保持する。バス１５０には前述した構成部以外にレンズ制御部１０６、電源１１０、メモリ１３２、不揮発性メモリ１３３、表示制御部１５１、カード入出力部１７１、そして、各種のスイッチ類が接続される。尚、上述の各種のスイッチ類とは、メインスイッチ１６１、第１レリーズスイッチ１６２、第２レリーズスイッチ１６３、上下左右選択ボタン１６４、決定ボタン１６５である。電源１１０は、バス１５０を介して撮像装置１００の内部に設けられている各回路に電源供給を行う。ＣＰＵ１３１は、メインスイッチ１６１の状態に応じて、電源１１０から各回路への電源供給制御を行う。
【００１３】
表示制御部１５１は、バス１５０を介してタイミング発生部１０７からの信号に応じて、メモリ１３２に保存された表示用画像データを、Ｄ／Ａ変換部１５２においてデジタル画像データから表示用のアナログ画像データへと変換する。変換されたアナログ画像データは、液晶表示素子からなるＴＦＴなどの表示部１５３、若しくはＶＩＤＥＯ出力端子１５４、ＨＤＭＩ（登録商標）出力端子１５５などのケーブルを介して外部に設けられた外部表示部（不図示）に表示される。
【００１４】
カードスロット１７２は、例えばＳＤカード等の着脱可能な記録媒体１７３を差し込み可能である。そして、記録媒体１７３は、カードスロット１７２に差し込まれた状態でカード入出力部１７１と電気的に接続される。この状態で、メモリ１３２に記録されている画像データを記録媒体１７３へと記録することが可能である。また、記録媒体１７３の内部に記録されたデータを撮像装置１００で読み出すことも可能である。
【００１５】
ＣＰＵ１３１は、バス１５０を介して上述したような撮像装置１００内の各部へと接続されており、撮像装置１００内の各部を統括的に制御する制御部である。本実施形態では、ＣＰＵ１３１は、レンズ制御部１０６、タイミング発生部１０７、映像信号処理部１０５、表示制御部１５１に対して、撮像装置１００内の各部の制御を指示する。尚、上述したような制御部や処理部を設けずに、ＣＰＵ１３１が撮像装置１００内の各部の駆動を制御するような構成であっても良い。また、ＣＰＵ１３１を設けずに上述した制御部や処理部がそれぞれ連動して制御（処理）を行うことで撮像装置１００内の各部の駆動を制御するような構成であってもよい。
【００１６】
第１の通信部１８１及び第２の通信部１８２は、いずれも外部機器２００との通信を行う。本実施形態においては、第１の通信部１８１は、第２の通信部１８２に比べて低速な通信を行うものとする。本実施形態においては、第１の通信部１８１は、Ｂｌｕｅｔｏｏｔｈによる通信で接続を行い、第２の通信部１８２はＷｉＦiによる通信で接続を行うものとする。
【００１７】
図２は、撮像装置１００による通信事前設定処理を示すフローチャートである。通信事前設定処理は、撮像装置１００が外部機器２００と通信を行うための事前設定を行う処理である。通信事前設定処理は、ＣＰＵ１３１が不揮発性メモリ１３３等に格納されているプログラムを読み出し、このプログラムを実行することにより実現されるものである。
【００１８】
２０１において、撮像装置１００のＣＰＵ１３１は、撮像装置１００と外部機器２００のＢｌｕｅｔｏｏｔｈペアリング設定を行う。図３は、ペアリング設定処理における撮像装置１００及び外部機器２００の詳細な処理を示すシーケンス図である。ペアリング設定処理において撮像装置１００の処理は、ＣＰＵ１３１が不揮発性メモリ１３３等に格納されているプログラムを読み出し、このプログラムを実行することにより実現されるものである。同様に外部機器２００の処理は、外部機器２００のＣＰＵが不揮発性メモリ等に格納されているプログラムを読み出し、このプログラムを実行することにより実現されるものである。
【００１９】
Ｓ３０１において、外部機器２００は、撮像装置１００とＢｌｕｅｔｏｏｔｈでの接続処理を開始する。次に、Ｓ３０２において、外部機器２００は、撮像装置１００に接続に必要なＰＩＮ（Ｐｅｒｓｏｎａｌ  Ｉｄｅｎｔｉｆｉｃａｔｉｏｎ  Ｎｕｍｂｅｒ）コードやデバイスに関する情報を送信する。次に、Ｓ３０３において、撮像装置１００は、外部機器２００に接続に必要なＰＩＮコードやデバイスに関する情報を送信し、Ｓ３０４でＢｌｕｅｔｏｏｔｈによる通信接続を完了する。
【００２０】
図２に戻り、Ｓ２０１の処理の後、Ｓ２０２において、撮像装置１００のＣＰＵ１３１は、ユーザ操作に応じて、メインスイッチ１６１がオフ中の通信を有効又は無効に設定する。なお、ユーザは、上下左右選択ボタン１６４と決定ボタン１６５を操作することにより、スイッチ１６１のオフ中の通信設定の有効無効を選択することができる。次に、Ｓ２０３において、ＣＰＵ１３１は、メインスイッチ１６１の状態を判定する。ＣＰＵ１３１は、オフと判定するまで待機し、オフと判定した場合には（Ｓ２０３でＹｅｓ）、処理をＳ２０４へ進める。
【００２１】
Ｓ２０４において、ＣＰＵ１３１は、メインスイッチ１６１がオフ中の通信設定を確認する。ＣＰＵ１３１は、通信設定が有効であると判定した場合には（Ｓ２０４でＹｅｓ）、処理をＳ２０６へ進める。ＣＰＵ１３１は、無効と判定した場合には（Ｓ２０４でＮｏ）、処理をＳ２０５へ進める。Ｓ２０５において、ＣＰＵ１３１は、撮像装置１００の全体の電源（主電源）をオフにし、処理を終了する。一方、Ｓ２０６において、ＣＰＵ１３１は、主電源をオフにし、省電力モードへ移行する。
【００２２】
なお、省電力モードとは、主要部への通電がオフされ、特定部材への通電のみが継続する状態である。本実施形態においては、特定部材は、Ｂｌｕｅｔｏｏｔｈ通信を行う第１の通信部１８１であり、図１に示す第１の通信部１８１以外の部材が主要部となる。すなわち、第１の通信部１８１は、主要部への通電オフ中において外部機器と通信可能である。一方、第２の通信部１８２は、主要部への通電中において外部機器と通信可能であるが、主要部への通信オフ中は、外部機器との通信を行うことができない。なお、特定部材が第１の通信部１８１を含み、主要部が撮像に係る部材やＣＰＵ１３１を含めばよく、これ以外の部材については、実施形態に限定されるものではない。
【００２３】
図４は、撮像装置１００と外部機器２００による通信制御処理を示すシーケンス図である。通信制御処理は、通信事前設定処理において、省電力モードに移行した場合に実行される処理である。通信制御処理における撮像装置１００の処理は、撮像装置１００の第１の通信部１８１が行い、外部機器２００の処理は、外部装置のＣＰＵが行う。Ｓ４０１において、外部機器２００は、撮像装置１００とのＢｌｕｅｔｏｏｔｈ接続を開始する。次に、Ｓ４０２において、撮像装置１００は、外部機器２００とのＢｌｕｅｔｏｏｔｈ接続を開始する。Ｓ４０２の処理は、主要部への通電がオフにされた場合に、第１の通信部１８１と外部機器２００を接続するよう制御する通信制御処理の一例である。
【００２４】
次に、Ｓ４０３において、外部機器２００は、ユーザによる画像取得操作を検出すると、Ｂｌｕｅｔｏｏｔｈ接続からＷｉＦｉ接続への切り換え処理を開始する。本実施形態では、外部機器２００は、ＷｉＦｉ接続にはＢｌｕｅｔｏｏｔｈ接続で使用した接続情報を使用して接続（以後ハンドオーバー処理と称する）するものとする。次に、Ｓ４０４において、外部機器２００は、Ｂｌｕｅｔｏｏｔｈ切断処理を開始する。次に、Ｓ４０５において、撮像装置１００は、外部機器２００とのＢｌｕｅｔｏｏｔｈ接続を切断する。次に、Ｓ４０６において、外部機器２００は、Ｂｌｕｅｔｏｏｔｈ接続の接続情報を用いて、ＷｉＦｉ接続を行う。次に、Ｓ４０７において、撮像装置１００は、Ｂｌｕｅｔｏｏｔｈ接続の接続情報を用いて、ＷｉＦｉ接続を行う。そして、Ｓ４０８において、撮像装置１００と外部機器２００の接続が完了し、Ｓ４０９でハンドオーバー処理が完了する。
【００２５】
次に、Ｓ４１０において、外部機器２００は、撮像装置１００が保持している画像のリストを要求する。次に、Ｓ４１1において、撮像装置１００は、外部機器２００へ画像リストを送信する。次に、Ｓ４１２において、外部機器２００は、ユーザ操作により画像リストから必要な画像が選択されると、撮像装置１００へ、選択された画像を送信するように要求する。次に、Ｓ４１３において、撮像装置１００は、要求された画像を、記録媒体１７３から読み出し、外部機器２００へ送信する。
【００２６】
そして、Ｓ４１４において、外部機器２００は、必要な画像の受信が終了すると、撮像装置１００とのＷｉＦｉ接続の切断処理を開始する。Ｓ４１５において、撮像装置１００は、外部機器２００とのＷｉＦｉ接続を切断する。次に、Ｓ４１６において、外部機器２００は、撮像装置１００とのＢｌｕｅｔｏｏｔｈ接続を開始する。次に、Ｓ４１７において、撮像装置１００は、処理時点の時刻をＷｉＦｉ切断時刻として記録する。次に、Ｓ４１８において、撮像装置１００は、外部機器２００とのＢｌｕｅｔｏｏｔｈ接続を行う。
【００２７】
次に、Ｓ４１９において、撮像装置１００は、ＷｉＦｉ切断時刻から所定時間が経過したと判定した場合には、外部機器２００に、Ｂｌｕｅｔｏｏｔｈ停止推奨通知を送信する。Ｂｌｕｅｔｏｏｔｈ停止推奨通知は、Ｂｌｕｅｔｏｏｔｈ停止を推奨することをユーザに通知するための情報であり、Ｂｌｕｅｔｏｏｔｈ停止を外部機器に問い合わせる問い合わせ情報の一例である。なお、所定時間は、撮像装置１００において予め設定されているものとする。Ｓ４１９の処理は、切り換え処理が行われない状態で所定時間が経過した場合に、問合せ情報を送信する通信制御処理の一例である。
【００２８】
なお、所定時間は、ユーザ操作に応じて、設定及び変更が可能であってもよい。また、他の例としては、撮像装置１００は、Ｓ４１７からＳ４１９の処理の間にメインスイッチ１６１のＯＮを検出した場合には、ＷｉＦｉ切断時刻からの経過時間をリセットしてもよい。
【００２９】
Ｂｌｕｅｔｏｏｔｈ停止推奨通知が送信されると、Ｓ４２０において、外部機器２００は、ユーザに対して、撮像装置１００のＢｌｕｅｔｏｏｔｈを停止するかどうかを確認する。外部機器２００は、具体的には、不図示の表示部にＢｌｕｅｔｏｏｔｈを停止するかどうかの確認画面を表示し、確認画面に対するユーザ操作に応じて、停止又は継続の指示を受け付ける。外部機器２００は、停止の指示を受け付けた場合には、処理をＳ４２１へ進める。Ｓ４２１において、外部機器２００は、撮像装置１００にＢｌｕｅｔｏｏｔｈの停止指示を送信する。ここで、停止指示は、外部機器との接続の接続指示の一例である。次に、Ｓ４２２において、撮像装置１００は、停止指示を受け付けると、Ｂｌｕｅｔｏｏｔｈを停止し、Ｂｌｕｅｔｏｏｔｈ通信を行う第１の通信部１８１への通電をオフするよう制御する。なお、他の例としては、Ｓ４２２において、撮像装置１００は、Ｂｌｕｅｔｏｏｔｈの接続を停止するのみとし、第１の通信部１８１への通電は継続することとしてもよい。
【００３０】
以上のように、第１の実施形態に係る撮像装置１００は、ＷｉＦｉ切断時刻から所定時間が経過した場合に、Ｂｌｕｅｔｏｏｔｈ停止推奨通知を送信し、ユーザ操作に応じて切断指示を受け付けると、Ｂｌｕｅｔｏｏｔｈ停止処理を行う。これにより、撮像装置の主要部への通電オフ中の不要な電力消費を低減することができる。
【００３１】
第１の実施形態の変更例としては、図４を参照しつつ説明した通信制御処理において、撮像装置１００のＢｌｕｅｔｏｏｔｈを停止するかどうかをユーザに確認する処理（Ｓ４１９及びＳ４２０の処理）を省略してもよい。すなわち、撮像装置１００は、所定時間が経過した場合に、Ｂｌｕｅｔｏｏｔｈ接続を切断し、第１の通信部１８１への通電をオフすることとしてもよい。
【００３２】
（第２の実施形態）
次に、第２の実施形態に係る撮像装置１００について説明する。図５は、第２の実施形態に係る通信制御処理を示すシーケンス図である。本実施形態に係る通信制御処理も、第１の実施形態に係る通信制御処理と同様に、通信事前設定処理において、省電力モードに移行した場合に実行される。Ｓ５０１の処理は、撮像装置１００と外部機器２００のＢｌｕｅｔｏｏｔｈ接続処理である。Ｓ５０１のＢｌｕｅｔｏｏｔｈ接続処理は、図４のＳ４０１からＳ４０２の処理と同一である。続くＳ５０２の処理は、ＢｌｕｅｔｏｏｔｈからＷｉＦｉ接続へのハンドオーバー処理である。Ｓ５０２のハンドオーバー処理は、図４のＳ４０３からＳ４０９までの処理と同一である。続くＳ５０３の処理は、画像転送処理である。Ｓ５０３の画像転送処理は、図４のＳ４１０からＳ４１３までの処理と同一である。
【００３３】
次に、Ｓ５０４において、外部機器２００は、必要な画像の受信が完了すると、撮像装置１００とのＷｉＦｉ接続の切断処理を開始する。そして、Ｓ５０５において、撮像装置１００は、外部機器２００とのＷｉＦｉ接続を切断する。次に、Ｓ５０６において、外部機器２００は、撮像装置１００とのＢｌｕｅｔｏｏｔｈ接続を開始する。次に、Ｓ５０７において、撮像装置１００は、外部機器２００とのＢｌｕｅｔｏｏｔｈ接続を行う。その後、Ｓ５０８において、撮像装置１００は、Ｂｌｕｅｔｏｏｔｈの切断を検出すると、処理をＳ５０９へ進める。Ｂｌｕｅｔｏｏｔｈの切断と接続が発生する一例として、撮像装置１００と外部機器２００の物理的な距離が変化することが挙げられる。Ｓ５０９において、処理時点の時刻をＢｌｕｅｔｏｏｔｈ切断時刻として記録する。Ｓ５１０において、撮像装置１００は、Ｂｌｕｅｔｏｏｔｈ切断時刻からの所定時間が経過した場合には、処理をＳ５１１へ進める。Ｓ５１１の処理は、Ｓ４２２の処理と同様である。
【００３４】
なお、所定時間は、撮像装置１００において予め設定されているものとする。さらに、所定時間は、ユーザ操作に応じて、設定及び変更が可能であってもよい。また、撮像装置１００は、Ｓ５０９とＳ５１０の処理の間にメインスイッチ１６１のＯＮを検出した場合には、Ｂｌｕｅｔｏｏｔｈ切断時刻からの経過時間をリセットしてもよい。なお、第２の実施形態に係る撮像装置１００のこれ以外の構成及び処理は、第１の実施形態に係る撮像装置１００の構成及び処理と同様である。
【００３５】
以上のように、第２の実施形態に係る撮像装置１００は、Ｂｌｕｅｔｏｏｔｈ切断時刻から所定時間が経過した場合に、自動的にＢｌｕｅｔｏｏｔｈ停止を行う。これにより、撮像装置の主要部への通電オフ中の不要な電力消費を低減することができる。
【００３６】
（第３の実施形態）
次に、第３の実施形態に係る撮像装置１００について説明する。図６は、第３の実施形態に係る通信制御処理を示すシーケンス図である。本実施形態に係る通信制御処理も、他の実施形態に係る通信制御処理と同様に、通信事前設定処理において、省電力モードに移行した場合に実行される。Ｓ６０１の処理は、撮像装置１００と外部機器２００のＢｌｕｅｔｏｏｔｈ接続処理である。Ｓ６０１のＢｌｕｅｔｏｏｔｈ接続処理は、図４のＳ４０１からＳ４０２の処理と同一である。続くＳ６０２の処理は、ＢｌｕｅｔｏｏｔｈからＷｉＦｉ接続へのハンドオーバー処理である。Ｓ６０２のハンドオーバー処理は、図４のＳ４０３からＳ４０９までの処理と同一である。続くＳ６０３の処理は、画像転送処理である。Ｓ６０３の画像転送処理は、図４のＳ４１０からＳ４１３までの処理と同一である。
【００３７】
Ｓ６０４において、外部機器２００は、必要な画像の受信が完了すると、撮像装置１００とのＷｉＦｉ接続の切断処理を開始する。そして、Ｓ６０５において、撮像装置１００は、外部機器２００とのＷｉＦｉ接続を切断する。次に、Ｓ６０６において、外部機器２００は、撮像装置１００とのＢｌｕｅｔｏｏｔｈ接続を開始する。次に、Ｓ６０７において、撮像装置１００は、外部機器２００とのＢｌｕｅｔｏｏｔｈの接続回数をリセットする。なお、接続回数は、不揮発性メモリ１３３に記録されているものとする。次に、Ｓ６０８において、撮像装置１００は、外部機器２００とのＢｌｕｅｔｏｏｔｈ接続を行う。
【００３８】
次に、撮像装置１００は、Ｓ６０９で、Ｂｌｕｅｔｏｏｔｈの切断を検出し、Ｓ６１０で、再度外部機器２００とのＢｌｕｅｔｏｏｔｈ接続を確立すると、Ｓ６１１おいて、接続回数をカウントアップし、接続回数を不揮発性メモリ１３３に記録する。なお、カウントアップの処理のタイミングは、Ｓ６０９の後であればよく、他の例としてはＳ６１０の処理の前でもよい。
【００３９】
次に、Ｓ６１２において、撮像装置１００は、不揮発性メモリ１３３に記録された接続回数が所定回数以上か否かを確認する。撮像装置１００は、接続回数が所定回数以上の場合には、処理をＳ６１３へ進める。撮像装置は、接続回数が所定回数未満の場合には、処理をＳ６０９へ進める。Ｓ６１３の処理は、Ｂｌｕｅｔｏｏｔｈ停止処理である。Ｓ６１３のＢｌｕｅｔｏｏｔｈ停止処理は、図４のＳ４１９からＳ４２２までの処理と同一である。
【００４０】
なお、所定回数は、撮像装置１００において予め設定されているものとする。さらに、所定回数は、ユーザ操作に応じて、設定及び変更が可能であってもよい。また、撮像装置１００は、Ｓ６０９からＳ６１２の処理の間に、メインスイッチ１６１のＯＮを検出した場合、接続回数をリセットしてもよい。なお、第３の実施形態に係る撮像装置１００のこれ以外の構成及び処理は、第２の実施形態に係る撮像装置１００の構成及び処理と同様である。
【００４１】
以上のように、第３の実施形態に係る撮像装置１００は、Ｂｌｕｅｔｏｏｔｈの接続回数が所定回数以上となった場合に、Ｂｌｕｅｔｏｏｔｈ停止推奨通知を送信し、ユーザ操作に応じて切断指示を受け付けると、Ｂｌｕｅｔｏｏｔｈ停止処理を行う。これにより、撮像装置の主要部への通電オフ中の不要な電力消費を低減することができる。
【００４２】
なお、第３の実施形態においても、第１の実施形態の変更例と同様に、撮像装置１００のＢｌｕｅｔｏｏｔｈを停止するかどうかをユーザに確認する処理を省略してもよい。すなわち、撮像装置１００は、接続回数が所定回数以上となった場合に、Ｂｌｕｅｔｏｏｔｈ接続を切断し、第１の通信部１８１への通電をオフすることとしてもよい。
【００４３】
（第４の実施形態）
次に、第４の実施形態に係る撮像装置１００について説明する。本実施形態に係る撮像装置１００のＣＰＵ１３１は、撮像素子１０４により得られた画像を記録媒体１７３に記録する。ＣＰＵ１３１はまた、記録媒体１７３に保存されている画像に対しリサイズやトリミング等の編集を行う。以下、記録媒体１７３への新たな画像の記録や、記録媒体１７３に記録されている画像の編集等をデータ更新と称する。さらに、ＣＰＵ１３１は、このとき、データ更新をありに設定する。データ更新の設定情報は、不揮発性メモリ１３３に記録され、後述の通信制御処理において参照される。
【００４４】
図７は、第４の実施形態に係る通信制御処理を示すフローチャートである。本実施形態に係る通信制御処理も、他の実施形態に係る通信制御処理と同様に、通信事前設定処理において、省電力モードに移行した場合に実行される。Ｓ７０１において、撮像装置１００の第１の通信部１８１は、外部機器とのＢｌｕｅｔｏｏｔｈ接続が開始したか否かを判定する。第１の通信部１８１は、Ｂｌｕｅｔｏｏｔｈ接続が開始するまで待機し、Ｂｌｕｅｔｏｏｔｈ接続が開始すると（Ｓ７０１でＹｅｓ）、処理をＳ７０２へ進める。Ｓ７０２において、第１の通信部１８１は、データ更新の設定を判定する。第１の通信部１８１は、データ更新ありと判定した場合には（Ｓ７０２でＹｅｓ）、処理をＳ７０４へ進める。第１の通信部１８１は、データ更新なしと判定した場合には（Ｓ７０２でＮｏ）、処理をＳ７０３へ進める。Ｓ７０３において、第１の通信部１８１は、Ｂｌｕｅｔｏｏｔｈ停止処理を行う。Ｓ７０３のＢｌｕｅｔｏｏｔｈ停止処理は、図４のＳ４１９からＳ４２２までの処理に対応する処理であり、Ｓ７０３において、撮像装置１００は、Ｓ４１９からＳ４２２における撮像装置１００の処理を行う。
【００４５】
一方、Ｓ７０４において、第１の通信部１８１は、画像転送要求を受け付けたか否かを判定する。例えば、外部機器２００において、ユーザが画像の閲覧、保存等を指示した場合に、第１の通信部１８１は、Ｂｌｕｅｔｏｏｔｈ接続を介して画像転送要求を受け付ける。第１の通信部１８１は、画像転送要求を受け付けたと判定した場合には（Ｓ７０４でＹｅｓ）、処理をＳ７０６へ進める。Ｓ１８１は、画像転送要求を受け付けなかったと判定した場合には（Ｓ７０４でＮｏ）、処理をＳ７０５へ進める。Ｓ７０５において、第１の通信部１８１は、Ｂｌｕｅｔｏｏｔｈの切断を検出したか否かを判定する。第１の通信部１８１は、Ｂｌｕｅｔｏｏｔｈの切断を検出したと判定した場合には（Ｓ７０５でＹｅｓ）、処理を７０１へ進める。第１の通信部１８１は、Ｂｌｕｅｔｏｏｔｈの切断を検出しなかったと判定した場合には（Ｓ７０５でＮｏ）、処理を７０４へ進める。
【００４６】
Ｓ７０６において、第１の通信部１８１は、主電源をオンする。次に、Ｓ７０７において、第１の通信部１８１は、ＢｌｕｅｔｏｏｔｈからＷｉＦｉ接続へのハンドオーバー処理を行う。Ｓ７０７におけるハンドオーバー処理は、図４のＳ４０３からＳ４０９において行う撮像装置１００の処理と同様である。次に、Ｓ７０８において、第１の通信部１８１は、画像転送処理を行う。Ｓ７０８における画像転送処理は、図４のＳ４１０からＳ４１３までの処理において行う撮像装置１００の処理と同様である。
【００４７】
次に、Ｓ７０９において、第１の通信部１８１は、データ更新なしを設定する。なお、Ｓ７０９の処理の後、外部機器２００との距離が離れている等、外部機器２００との通信が行えないような状況において主電源がオンされ、データ更新が行われたような場合に、再びデータ更新ありに変更される。次に、Ｓ７１０において、第１の通信部１８１は、ＷｉＦｉ切断処理を行う。Ｓ７０９におけるＷｉＦｉ切断処理は、図４のＳ４１４からＳ４１５までの処理において行う撮像装置１００の処理と同様である。次に、Ｓ７１１において、第１の通信部１８１は、再び省エネモードに移行し、その後処理をＳ７０１へ進める。
【００４８】
以上のように、第４の実施形態に係る撮像装置１００は、前回の画像転送の時点（データを外部機器に送信した時点）からデータ更新がない状態でＢｌｕｅｔｏｏｔｈ接続した場合に、Ｂｌｕｅｔｏｏｔｈ停止推奨通知を送信する。そして、撮像装置１００は、ユーザ操作に応じて切断指示を受け付けると、Ｂｌｕｅｔｏｏｔｈ停止処理を行う。これにより、撮像装置の主要部への通電オフ中の不要な電力消費を低減することができる。
【００４９】
なお、第４の実施形態においても、第１の実施形態の変更例と同様に、撮像装置１００のＢｌｕｅｔｏｏｔｈを停止するかどうかをユーザに確認する処理を省略してもよい。すなわち、撮像装置１００は、前回の画像転送からデータ更新がない状態でＢｌｕｅｔｏｏｔｈ接続した場合に、Ｂｌｕｅｔｏｏｔｈ接続を切断し、第１の通信部１８１への通電をオフすることとしてもよい。
【００５０】
以上、本発明の好ましい実施形態について詳述したが、本発明は係る特定の実施形態に限定されるものではなく、特許請求の範囲に記載された本発明の要旨の範囲内において、種々の変形・変更が可能である。
【００５１】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５２】
１００  撮像装置
１７３  記録媒体
１８１  第１通信部
１８２  第２通信部
２００  外部装置
【図１】
2018110341.tif 000003
【図２】
2018110341.tif 000004
【図３】
2018110341.tif 000005
【図４】
2018110341.tif 000006
【図５】
2018110341.tif 000007
【図６】
2018110341.tif 000008
【図７】
2018110341.tif 000009